(57)【要約】      （修正有）【課題】スプレー塗装による余剰塗料が排気ファンやその近傍に付着して吸気口側の吸引力を低下させることがなく、一定の吸引力を保ったまま長期間使用できるスプレーブースを提供する。【解決手段】霧状粒子を空気と共に取り込む吸気口３と、吸気口３と対向する背壁２３に設けられる空気を排気する排気口と、排気口後方に配設されるファンとを備えたスプレーブース１であって、吸気口３と排気口の間に、排気口よりも大きい遮断板５が吸排気可能な状態で配置されており、更に吸気口外側から内側の背壁２３を視認した際に排気口が遮断板５により隠蔽される位置に遮断板５が配設される。【選択図】図３
2010012441.tif 000002
【特許請求の範囲】
【請求項１】
霧状粒子を空気と共に取り込む吸気口と、前記吸気口と対向する背壁に設けられる前記空気を排気する排気口と、前記排気口後方に配設されるファンとを備えたスプレーブースであって、前記吸気口と排気口の間に、前記排気口よりも大きい遮断板が吸排気可能な状態で配置されており、更に前記吸気口外側から内側の背壁を視認した際に排気口が遮断板により隠蔽される位置に前記遮断板が配設されることを特徴とするスプレーブース。
【請求項２】
前記遮断板の配設位置が、背壁から垂直方向への最長距離が１８ｍｍ以上となる位置であることを特徴とする請求項１記載のスプレーブース。
【請求項３】
前記遮断板が、背壁と平行に配設されることを特徴とする請求項１又は２に記載のスプレーブース。
【請求項４】
前記遮断板の吸気口側にフィルターが配設されることを特徴とする請求項１乃至３のいずれかに記載のスプレーブース。
【請求項５】
前記遮断板と吸気口の間で遮断板に対して垂直な位置にフィルターが配設されることを特徴とする請求項１乃至４のいずれかに記載のスプレーブース。
【発明の詳細な説明】
【技術分野】
【０００１】
本発明は、スプレーブースに関する。更には、吸気口と排気ファンを備えた持ち運びが可能な携帯用スプレーブースに関する。
【背景技術】
【０００２】
従来、側板と底板を備えた箱状本体の前面に開口部を設け、該開口部と対向する背壁に排気ファンを設置し、排気ファンの前面にフィルターを張設したスプレーブースが開示されている（例えば特許文献１参照）。
【特許文献１】実開平７−３７５３号公報
【０００３】
前記スプレーブースは安価に製造できる移動や持ち運びが可能なホームユース品であり、使用時にはファンを始動させ、開口部内に被塗装物を収容保持した状態でスプレー塗装するものである。
そのため、開口部内にスプレーが噴射されることで、排気ファン前面のフィルターに直接塗料が付着して目詰まりが生じ易いものであり、短期間の使用で吸気口側の吸引力が低下するものであった。
【発明の開示】
【発明が解決しようとする課題】
【０００４】
本発明は、前記問題を解決するものであって、スプレー塗装による余剰塗料（霧状粒子）が排気ファンやその近傍に付着して吸気口側の吸引力を低下させることがなく、一定の吸引力を保ったまま長期間使用できるスプレーブースを提供するものである。
【課題を解決するための手段】
【０００５】
本発明は、霧状粒子を空気と共に取り込む吸気口と、前記吸気口と対向する背壁に設けられる前記空気を排気する排気口と、前記排気口後方に配設されるファンとを備えたスプレーブースであって、前記吸気口と排気口の間に、前記排気口よりも大きい遮断板が吸排気可能な状態で配置されており、更に前記吸気口外側から内側の背壁を視認した際に排気口が遮断板により隠蔽される位置に前記遮断板が配設されることを要件とする。
更に、前記遮断板の配設位置が、背壁から垂直方向への最長距離が１８ｍｍ以上となる位置であること、前記遮断板が、背壁と平行に配設されること、前記遮断板の吸気口側にフィルターが配設されることを要件とする。
更には、前記遮断板と吸気口の間で遮断板に対して垂直な位置にフィルターが配設されることを要件とする。
尚、本発明において「前」とは、吸気口側を示し、「後」とは、ファン側を示す。
【発明の効果】
【０００６】
本発明により、スプレー塗装時の余剰塗料（霧状粒子）を遮断板に最初に付着させて排気口や排気ファンに直接かかる（付着する）ことが防止できるため、塗料付着による吸引力の低下を生じることなく長期的に使用できる。
また、遮断板と背壁との距離を定めることで、ファンの吸引力（排気量）を低下させることなく有効に活用した状態でスプレーブースを構成することができる。
【発明を実施するための最良の形態】
【０００７】
本発明のスプレーブースは、吸気口と排気口を備えた箱状本体の排気口後方に排気用ファンが配設されており、前記箱状本体内の吸気口と排気口の間に遮断板を配置したものである。そのため、スプレー塗布時に塗料等の霧状粒子がダイレクトに排気口にかかることを防止できるため、高い吸引力を維持した状態で長期的に使用できるものである。
【０００８】
前記スプレーブースの本体は、樹脂成形物、金属加工体、ダンボール等の紙類の組立物等から構成される箱状（即ち、上壁と底壁と両側壁を備える）のものが好適に用いられ、前面に吸気口を備えると共に、該吸気口と対向する面（即ち、本体背壁）に排気口を備えている。
前記吸気口は、飛散する塗布剤（霧状粒子）を本体内部へ吸い込むために設けられる開口部分であり、使用時には吸気口がスプレー作業をする空間（作業スペース）の後方に位置するように本体が配置される。前記開口部分の形状は三角形、四角形等の多角形、円形、楕円形等の曲形等どの様な形状であってもよく、更に、開口縁に傾斜壁等を設けることもできる。
尚、前記吸気口の周辺には、スプレー塗布時に上方向への飛散を抑制するためのフードや、下方向（即ち、本体載置時前方の作業スペース）の汚染を防止するエプロン等を設けることもできる。
また、前記排気口は、吸気口から本体内部に吸い込まれた空気を、直接又はフィルター等を介して外部に排出するために設けられる後方開口部分であり、該排気口内、又は後方（外側）に排気ファンが取り付けられる。
【０００９】
前記箱状本体の内部には、前記吸気口と排気口の間に、樹脂、金属、紙類等で構成される粒子や空気を通さない遮断板が吸排気を妨げない状態（即ち、本体内に空気流通路を確保した状態）で配置されている。
前記遮断板は、排気口のサイズより大きくなるように設定されており、吸気口外側から内側（背壁側）を視認した際に、後方の排気口が遮断板によって隠蔽されるように配設されている。そのため、吸気口から入った塗布剤（粒子）が遮断板（更には本体内壁）に接触して付着することで、前記粒子がダイレクトに排気口に届き難くなるため、粒子の付着による吸引力の低下を効果的に抑制できる。
【００１０】
特に、前記遮断板の配設位置として、背壁から吸気口側への垂直方向の最長距離を１８ｍｍ以上とすることが好ましい。本願構成では遮蔽板と排気口の距離がファンの吸引力に影響を及ぼすため、背壁との距離を上記のように設けることで遮断板後方に一定の空間（吸引状態に適した空間）が生じるため、該空間内の空気をファンにより排気するのと同時に遮断板前方（本体内吸気口近傍）の空気を前記空間内に流入することができる。この作用によって、吸気した空気から霧状粒子を遮断板や本体内部に付着させながら排気できるため、排気されるダスト量を効果的に減少させることができる。その際、ファンに付着する粒子も減少するため、ファンの吸引力（排気量）が低下することなく長期的に高い吸引力を維持できる。
尚、前記遮断板は背壁に対して傾斜状態で配設することもできるが、流通路を偏在させることなく排気ダスト量をより効果的に減らすために、背壁に対して平行に配設することが好ましい。
【００１１】
また、前記遮断板の吸気口側には、不織布、発泡体、エラストマー等の多孔性物質や、ダンボール、厚紙、合成紙等の紙類により形成されるフィルターやフィルターユニット（樹脂製骨組等を用いて前記フィルターを固定したもの）が配置されることが好ましい。特に、前記フィルターやフィルターユニットは交換可能な形態で配置することで、長期間の使用により塗布剤（粒子）が堆積した際に新品と交換できるため、内部を清掃する手間が省け、吸引力の低下をより生じ難くすることができる。
更に、前記フィルターやフィルターユニットは、吸気口と排気口との間に形成される流通路部分や排気口（排気ファン前面）に設けることもできる。
【００１２】
更に、前記吸気口と遮断板の間には、該遮断板に対して垂直な位置（即ち、吸気口から後方の遮断板側に延設される形態）に前述のフィルターを配設することができる。
これにより、作業時に塗布されたスプレー粒子が遮断板に到達する前にも前記フィルターに吸着させることが可能となる。また、前記位置（形態）にフィルターを設けることで、塗布剤がどのような角度で入射された場合であっても、効率的な吸着ができるため、排気ダスト量を確実に減らすことができる。
【００１３】
前記ファンは、排出孔を備えた排気用ファンユニットとして用いられることが好ましい吸気手段であり、前記吸気口から吸引される空気（粒子や溶剤を含むもの）を本体内部から効率的に外部へ排出するための装置である。
前記ファンとして具体的には、シロッコファン、プロペラファン等の電動ファンが例示できるが、吸引した可燃性有機溶剤がモーター部へ送られない構造をとるシロッコファンが特に好ましい。
また、前記ファンによる排気はファンユニットの排出孔から行われるため、前記排出孔にダクトホースを取り付けることで、排気される気化溶剤等を室外に排出することが容易となり、よりクリーンな状態を確保できると共に、ホースの長さに応じてスプレーブースの載置場所にも自由度が生まれる。
【実施例】
【００１４】
本発明の実施例を図面に従って説明する。尚、本発明は以下の実施例に限定されるものではない。
【００１５】
図１乃至２は第一実施例を示す。尚、図２は略中心部分の縦断面図である。
【００１６】
図１は本発明のスプレーブースの外観斜視図である。
前記スプレーブース１は、前壁２１、側壁２２、背壁２３、上壁２４、底壁２５を有する合成樹脂製の中空箱状本体２（具体的には、幅３７０ｍｍ、高さ２４０ｍｍ、奥行１３０ｍｍ）を備え、前壁２１の中央部には、幅３１０ｍｍ、高さ１８０ｍｍの吸気口３を有している。更に、前壁２１の上端部及び左右端部に飛散防止用のフード３１と、下端部及び左右端部に作業スペースの汚染を抑制するためのエプロン３２とが着脱自在に設けられている。前記フード３１とエプロン３２は軟質樹脂により形成されており、非使用時には本体２から取り外して折り畳み収納される。
更に、上壁２４には、スプレーブース１を移動・持ち運びする際に把持する樹脂製の把持部２４１がビスにより着脱可能に取り付けられている。
また、背壁２３には、前記吸気口３と対向するように円形（具体的には直径６５ｍｍの円）の排気口４が形成されており、吸気した空気を短距離で本体外に排気できる構成となっている。
【００１７】
前記排気口４外側（後方）には、ファンユニット６が４本のビスにより着脱自在に取り付けられる。ファンユニット６は定格３０ＷのＡＣモーターと共に、φ８０、高さ４０ｍｍのシロッコファン６３を吸気孔内に内蔵し、該吸気孔（シロッコファン内周部）が前記排気口４を覆うように密接配置している。更に、ファンユニット６の上方にはダクトホースを接続可能とする排出孔６１を備え、下方には安定載置するために脚部６２が形成されており、いずれも樹脂成形物から得られる。尚、前記ファンユニット６は電源を備えている。
【００１８】
前記箱状本体２の内部には、吸気口３と排気口４の間に、樹脂製の遮断板５が、背壁２３からの距離Ｌが２０ｍｍとなる位置に該背壁と平行に配設されている（図２参照）。その際、遮断板５の周囲（即ち、遮断板５外周と本体２内壁との間）には吸排気用の流通路７が確保されている。
前記遮断板５は、幅２８０ｍｍ、高さ１００ｍｍの長方形板状物であり、排気口４よりも大きいため、吸気口外側（前方）から本体内部（背壁側）を視認した際に後方の排気口４が遮断板５によって隠蔽され、視認できないようになっている。
【００１９】
また、前記遮断板５の吸気口３側には、粒子を効率的に付着させるために多孔性フィルター８が流通路７を塞ぐ大きさで交換可能に設けられる。吸気口３側に設けることで、使用時に遮断板５へダイレクトに吹き付けられた塗布剤の付着によって長期的に流通路７を狭められることを防止すると共に、使用後の内部清掃の手間を省くことが可能となる。尚、本体２内には、前記フィルター８と同質の薄板状のものが本体内壁に沿って、全周に亘って配設されている。
【００２０】
更に、前記スプレーブース１の本体２内前方（吸気口３と遮断板５の間）には、吸気口３（前壁２１）及び遮断板５に対して垂直方向に延設されるハニカム状フィルターユニット８１（前記多孔性フィルター８と同質のものを備える）が配設されている。前記フィルターユニット８１は本体２を前後方向に分割開放することでフィルター８を交換できるようにピンと支持板により保持された状態で設置されている。
前記形態のフィルターユニット８１を設けることで、使用時に塗布剤（スプレー）がどのような角度で吸気口３内に入射された場合であっても、フィルター８により効率的な吸着ができるため、排気ダストの量を減らすことが可能となると共に、使用後の内部清掃の手間を省くことが可能となる。
尚、前記スプレーブース１はフィルターユニット８１を取り外した状態で、先に示した遮断板５前方に配設したフィルター８が交換できる構造となっている。
【００２１】
前記構成からなるスプレーブース１を机や床等に載置して室内で使用する場合、ファンユニット６の電源を入れてファン６３を始動させた状態で、吸気口３前方の作業スペース（エプロン３２近傍）で被塗装物にスプレーを塗布することで、飛散する余剰な塗料や気化した溶剤等が吸気口３から本体２内に取り込まれる。その際、内蔵するフィルター８に塗料等の微粒子が吸着されるため、フィルター８を介してファン側に送られる空気中には塗料等がほとんど存在しない状態となる。また、ダイレクトに入射されたスプレー（塗布剤）は、遮断板５（前方のフィルター８）に接触して付着するため、排気口４にダイレクトに到達することで発生していた吸引力の低下を生じることがなくなる。
更に、吸引された前記空気は、ファン６３の吸引力により排気口４を経て排出孔６１から外部に排気される。その際、排出孔６１にダクトホースの一端を接続し、他端を窓等から室外に向けて配置することで、前記排気を室外に放出することができる。これにより排気中の残存物や溶剤等の臭気が室内に分散されることがなくなり、室内をよりクリーンな状態に保つことが可能となる。
【００２２】
尚、本実施例では遮断板５と背壁２３との最長距離Ｌが２０ｍｍとなるように遮断板５の配設位置を設定しているが、該距離Ｌは１８ｍｍ以上で任意の値とすることが可能である。下記表１に距離Ｌ（１０〜５０ｍｍ）に対するファンの吸引力（排気風速：ｍ／ｓ）の実験データを示す。
【００２３】
【表１】
2010012441.tif 000003
【００２４】
実施例２（図３参照）
前記実施例１と略同様の箱状本体２とファンユニット６を用いて、更に、前記箱状本体２内部の吸気口３と排気口４の間に、樹脂製の遮断板５を背壁２３からの距離Ｌが２５ｍｍとなる位置に該背壁２３と平行に配設することでスプレーブース１を得た。その際、遮断板５は本体２の各内壁から延設される細板（具体的には上下各５本、左右各２本）により略中心に保持されており、該遮断板５の周囲（即ち、遮断版外周と本体２の上下左右内壁との間）には吸排気用の流通路７が確保されている。
尚、前記遮断板５は、幅２８０ｍｍ、高さ１００ｍｍの長方形板状物であり、排気口４（直径６５ｍｍの円）よりも大きいため、吸気口外側（前方）から本体内部（背壁側）を視認した際に後方の排気口４が遮断板５によって隠蔽されて視認できないようになっている。
【００２５】
前記スプレーブース１を使用する場合、ファンユニット６の電源を入れてファン６３を始動させた状態で、吸気口３前方（作業スペース）で被塗装物にスプレーを塗布することで、飛散する余剰な塗料や気化した溶剤等が吸気口３から本体２内に取り込まれる。その際、吸気口近傍の微粒子や、直接入射されたスプレー（塗布剤）が、遮断板５に接触して付着するため、排気口４にダイレクトに到達することで発生していた吸引力の低下を生じることがなくなった。尚、遮断板５を設ける前と吸引力を比べても、遮断板５による吸引力の低下はみられなかった。
【００２６】
比較例１（図４参照）
前記実施例２のスプレーブースから遮断板５を取り除いた後、排気口４を覆うようにフィルター８を背壁２３に貼着することでスプレーブース１を得た。尚、本スプレーブース１の初期（スプレー塗布前）の排気風速は、実施例２のスプレーブースと同一の値を示すものであった。
前記スプレーブース１を用いて、吸気口３前方（作業スペース）で被塗装物にスプレーを塗布した際、飛散する余剰な塗料や気化した溶剤等が吸気口３から本体２内に取り込まれるが、直接入射されたスプレー（塗布剤）が、排気口４にダイレクトに到達してフィルター８に吸着することで目詰まりを起こすため、短時間で吸引力（排気風速）が低下してしまった。
また、ファンユニット６の排出孔６１から排出される排気ダストの量を測定したところ、実施例２のスプレーブースと比べて２倍以上であった。
【図面の簡単な説明】
【００２７】
【図１】本発明の実施例の外観斜視図である。
【図２】図１の縦断面図である。
【図３】本発明の他の実施例の外観斜視図である。
【図４】比較例の外観斜視図である。
【符号の説明】
【００２８】
１  スプレーブース
２  箱状本体
２１  前壁
２２  側壁
２３  背壁
２４  上壁
２４１  把持部
２５  底壁
３  吸気口
３１  フード
３２  エプロン
４  排気口
５  遮断板
６  ファンユニット
６１  排出孔
６２  脚部
６３  シロッコファン
７  流通路
８  フィルター
８１  フィルターユニット
Ｌ  遮断板と背壁との最長距離
【図１】
2010012441.tif 000004
【図２】
2010012441.tif 000005
【図３】
2010012441.tif 000006
【図４】
2010012441.tif 000007